(57)【要約】      （修正有）【課題】ダクトの形状の改良により、低音域の音質を更に高めることができるバスレフ型スピーカーを提供する。【解決手段】エンクロージャーＥの内部に配置される共振用のダクトが、底部に空気流を通過させる小さな開口７を備えた碗状に形成されていて、開口の大きな側６が空気流の入口側、又は出口側となる双方の配置が可能である。いずれの配置においても、碗状のダクトＤ１、Ｄ１’の内部の立体的な凹曲面が空気流の流れをスムーズにしていると共に、空気流が底部の小さな開口を通過することにより、当該空気流が急激に膨張され、膨張前後における空気流の流れは、反発等して異常な流れが発生せずに、いずれもスムーズである。従って、エンクロージャー、及び碗状のダクトの各容積によって一義的に定められる共振周波数において共振が発生して、別の共振が発生する余地はない。この結果、低音域から中高音域までの全周波数帯域における発生音のバランスがよくなって、音の解像度が高まる。【選択図】図２
0003158614.tif 000002
【実用新案登録請求の範囲】
【請求項１】
スピーカーユニットを取付けた密閉型のエンクロージャーの内部に共振用のダクトが配置されたバスレフ型スピーカーにおいて、
前記ダクトは、底部に空気流が流通する小さな開口を備えた碗状に形成されていることを特徴とするバスレフ型スピーカー。
【請求項２】
碗状のダクトの底部の外側に、前記した小さな開口と連通する短管状の補助ダクトが設けられていることを特徴とする請求項１に記載のバスレフ型スピーカー。
【請求項３】
スピーカーユニットを取付けた密閉型のエンクロージャーの内部に共振用のダクトが配置されたバスレフ型スピーカーにおいて、
前記ダクトは、ラッパ状に形成されていることを特徴とするバスレフ型スピーカー。
【考案の詳細な説明】
【技術分野】
【０００１】
本考案は、エンクロージャーにダクトを取付けて低音域特性を高めたバスレフ型スピーカーに関するものである。
【背景技術】
【０００２】
バスレフ型スピーカーは、スピーカーユニットを取付けた密閉型のエンクロージャーの側面に共振用のダクトを内方に向けて取付けたり、或いは前記エンクロージャーの側面、及び当該エンクロージャーの内部を仕切る仕切板の双方に共振用のダクトをそれぞれ取付けたスピーカーである。エンクロージャーの容積とダクトの容積とにより共振周波数が定められて、共振点に達するまでは、発生音の波形が反転されることにより、共振周波数までは音の量感を保持しつつ、当該共振点以降は、量感が急激に落ちるために、低音域が増強されて、低音出力特性が高められる（引き締まった低音が発生する）ことが知られている。なお、ダクトを使用しない場合には、低音域（低音周波数）の全域に亘って音が伸ばされるために、「しまりのない低音」となって音は増強されない。
【０００３】
そして、従来のバスレフ型スピーカーにおいては、直管状のダクトＤ’が使用されていた（特許文献１及び図８参照）。このため、直管状のダクトＤ’の内部では空気流の膨張はなくて、当該ダクトＤ’の出口側から出た瞬間において、空気流が急激に膨張される。よって、音に歪みを生じさせたりして、ダクトによる本来の共振とは別の共振や定在波が発生して、音質を低下（発生音がこもったり、濁ったりすること）させていた。なお、図８に示されるダクトは、スピーカーの前板部１に取付けられたものである。
【先行技術文献】
【特許文献】
【０００４】
【特許文献１】実開昭６１−１４３３９５号公報
【考案の概要】
【考案が解決しようとする課題】
【０００５】
本考案は、バスレフ型スピーカーにおいて、ダクトの形状の改良により低音域の音質を更に高めることを課題としている。
【課題を解決するための手段】
【０００６】
上記課題を解決するための請求項１の考案は、スピーカーユニットを取付けた密閉型のエンクロージャーの内部に共振用のダクトが配置されたバスレフ型スピーカーにおいて、前記ダクトは、底部に空気流が通過する小さな開口を備えた碗状に形成されていることを特徴としている。
【０００７】
請求項１の考案によれば、エンクロージャーの内部に配置される共振用のダクトが、底部に空気流を通過させる小さな開口を備えた碗状に形成されていて、開口の大きな側が空気流の入口側、又は出口側となる双方の配置が可能である。開口の大きな側が空気流の入口側となる場合には、碗状のダクトの立体的な凹曲面に沿ってスムーズに流れる空気流は、底部に形成された小さな開口から出た時点で空気流は急激に膨張される。一方、開口の大きな側が出口側となる場合には、空気流の入口側である小さな開口を当該空気流が通過した時点で空気流が急激に膨張された後に、周囲の立体的な凹曲面に沿って空気流がスムーズに流れる。いずれの配置においても、碗状のダクトの内部の立体的な凹曲面が空気流の流れをスムーズにしていると共に、空気流が底部の小さな開口を通過することにより、当該空気流が急激に膨張され、膨張前後における空気流の流れは、反発等して異常な流れが発生せずに、いずれもスムーズである。従って、エンクロージャー、及び碗状のダクトの各容積によって一義的に定められる共振周波数において共振が発生して、別の共振が発生する余地はない。この結果、請求項１の考案によれば、バスレフ型スピーカーにおいて、低音域から中高音域までの全周波数帯域における発生音のバランスがよくなって、音の解像度が高まり、はっきりとした細かい音の再生ができて、特に低音域の音質が高められるというバスレフ型スピーカーの特徴が一層に高められる。
【０００８】
また、請求項２の考案は、請求項１の考案において、碗状のダクトの底部の外側には、前記した小さな開口と連通する短管状の補助ダクトが設けられているので、特に空気流の流出が一層スムーズになって、本来の共振周波数で一層共振し易くなる。
【０００９】
また、請求項３の考案は、スピーカーユニットを取付けた密閉型のエンクロージャーの内部に共振用のダクトが配置されたバスレフ型スピーカーにおいて、前記ダクトは、ラッパ状に形成されていることを特徴としている。
【００１０】
請求項３の考案によれば、開口の小さな側を空気流の入口側に配置した場合には、ラッパ状のダクト内において、空気流が徐々に膨張されて、当該ダクトの大きな側の開口を出た直後に急激に膨張されると共に、ラッパ状のダクト内における空気流の流れがスムーズとなって、低音域の音質が改善される。
【考案の効果】
【００１１】
本考案によれば、バスレフ型スピーカーの内部に配置されるダクトの形状を碗状又はラッパ状とすることにより、当該ダクトを通過して、通過後には急激に膨張される空気流の流れが、当該ダクトの通過前後において、従来の直管状のダクトに比較して、いずれもスムーズとなって、低音域の音質が改善される。
【図面の簡単な説明】
【００１２】
【図１】本考案に係る碗状の各ダクトＤ1,Ｄ1'の大きな開口を空気流の入口側となるように配置したバスレフ型スピーカーＳ1 の正面図である。
【図２】同じく内部を透視した斜視図である。
【図３】図１のＸ−Ｘ線断面図である。
【図４】本考案に係る二つの碗状の各ダクトＤ1,Ｄ1'の大きな開口が空気流の出口側となるように配置したバスレフ型スピーカーＳ1 の断面図である。
【図５】本考案に係るラッパ状のダクトＤ2 を備えたダブルバスレフ型スピーカーＳ2 の内部を透視した斜視図である。
【図６】同じく断面図である。
【図７】本考案に係る直管状のダクトＤ3 を備えたダブルバスレフ型スピーカーＳ3 の断面図である。
【図８】従来のバスレフ型スピーカーの前板部１に取付けられた直管状のダクトＤ’の拡大断面図である。
【考案を実施するための形態】
【００１３】
以下、最適な複数の実施形態を挙げて、本考案を更に詳細に説明する。
【実施例１】
【００１４】
最初に、図１ないし図３を参照して、本考案の実施例１について説明する。図１は、本考案に係る二つの碗状の各ダクトＤ1,Ｄ1'の大きな開口が空気流の入口側となるように配置したバスレフ型スピーカーＳ1 の正面図であり、図２は、同じく内部を透視した斜視図であり、図３は、図１のＸ−Ｘ線断面図である。図１ないし図３に示されるように、バスレフ型スピーカーＳ1 は、密閉されたエンクロージャー（筐体）Ｅの前板部１の上半部には、スピーカーユニット２を取付けるための円形開口３が形成されて、当該円形開口３に前記スピーカーユニット２が嵌め込まれた形態で取付けられ、当該スピーカーユニット２の背後には、発生音を伝播させる空気室４が設けられ、当該空気室４は、二つの仕切板５により上下方向に沿って三室に分割された分割空気室４ａ〜４ｃで構成されている。
【００１５】
ダクトＤ1 は、ほぼ中空半球状をした碗状をなしていて、中空球を二分割した場合に、当該二分割部分に形成される大きな開口６と、二分割された碗状の部分の底部に形成された小さな開口７とをそれぞれ備えている。上方の仕切板５には、大きな開口６が空気流の入口側である上側に配置されて、碗状のダクトＤ1 が取付けられて、当該ダクトＤ1 の大部分は、中間の空気室４ｂ内に配置されている。同様に、下方の仕切板５にも、碗状のダクトＤ1'が上記ダクトＤ1 と同様の形態で取付けられている。碗状のダクトＤ1'は、同じく碗状のダクトＤ1 の空気流の流出側である小さな開口７に短管状の補助ダクトＤ11が取付けられた構成である。補助ダクトＤ11は、空気の流入側から流出側に向けて内径が大きくなるようなテーパー管状をなしていて、下側に配置された小さな開口１１が、空気流の流出口となっている。下方の仕切板５と対向配置される底板部８の中央部には、空気流の入口側から出口側に向けて急激にテーパー状となった気流流通孔９が形成されている。碗状のダクトＤ1,Ｄ1'の大きな開口６の内径ｄは、各分割空気室４ａ，４ｃの容積との関係において、低音域の設定された共振周波数が得られるように設定してある。なお、エンクロージャーＥの全体は、複数本の脚体１０により支持されて、気流流通孔９が設けられた底板部８は、当該脚体１０の高さだけ嵩上げされている。
【００１６】
この結果、分割空気室４ａの容積は、碗状のダクトＤ1 の容積だけ大きくなると共に、当該分割空気室４ａにおける空気流の下流側となる部分は、当該碗状ダクトＤ1 の略中空半球状をした内周面により形成されるために、空気流が当該内周面に沿って流れ易くなる。また、各分割空気室４ａ，４ｂ内の空気は、当該各分割空気室４ａ，４ｂの背圧の大きさに応じて、碗状ダクトＤ1 の底部に形成された小さな開口７を通してそれぞれ出入りする。同様の現象は、分割空気室４ｃと、気流流通孔９を通して分割空気室４ｃと連通しているエンクロージャーＥの外部との間でも発生する。三つの各分割空気室４ａ〜４ｃのうち、互いに隣接する各分割空気室との間における空気流の出入りによって、音の共鳴現象が発生して、低音域の音が増強される。
【００１７】
また、碗状の各ダクトＤ1,Ｄ1'の内周面は、略中空半球体の内周面のように、全面がスムーズにわん曲した立体的な曲面状に形成されているため、上記したように、三つの各分割空気室４ａ〜４ｃのうち互いに隣接する二つの分割空気室との間において空気流が出入りする際における当該空気流の流れがスムーズとなって、低音域の設定された周波数の共振のみが発生して、他の原因で発生する共振がなくなるために、音の解像度が高められて、はっきりした細かい音の再生が可能となって、特に、低音域の音質が高められる。
【実施例２】
【００１８】
本考案の実施例２は、図４に示されるように、前記ダクトＤ1'の上下を反転させて、底板部８に取付けた構成である。即ち、ダクトＤ1'の大きな開口６がエンクロージャーＥの外部と通じていて、短管状の補助ダクトＤ11が最も上方に配置されて、小さな開口１１が空気流の流入口となっている。
【００１９】
実施例２では、エンクロージャーＥの内部の全体が空気室１２となっていて、空気室１２の背圧に応じて、補助ダクトＤ11の部分において空気流が出入りして、当該補助ダクトＤ11を通して外部に排出される空気流は、当該補助ダクトＤ11の小さな開口１１を通過した時点で急激に膨張されるが、膨張後においては、逆碗状に配置されたダクトＤ11の内周面に沿って外部に排出されるために、空気流の排出がスムーズになる。一方、空気室１２の背圧が小さくなって、当該空気室１２が外部の空気を吸引する場合においても、ダクトＤ11の略中空半球体の内周面に近似した内周面に沿った後に、補助ダクトＤ11を通して空気流が内部に流入するので、当該流入空気流の流れがスムーズとなる。空気室１２に対する空気流のスムーズな流入出が、低音域の音質が高められるものと考えられる。
【実施例３】
【００２０】
本考案の実施例３は、図５及び図６に示されるように、碗状のダクトＤ1'を逆碗状に配置して底板部８に取付けた実施例２に対して、逆碗状に配置した碗状のダクトＤ1'をラッパ状のダクトＤ2 に変更した例である。ラッパ状のダクトＤ2 に関しても、大きな開口１３がエンクロージャーＥの外部に直接に通じるように下方に配置して、小さな開口１４が空気室１２の内部に配置される。このため、空気室１２の背圧の変化によるラッパ状のダクトＤ2 の部分において空気流の流れは、実施例２の場合とほぼ同様であって、ラッパ状をしたダクトＤ2 の内周面が空気抵抗の殆どない滑らかな曲線で構成されているため、空気室１２に対する空気流の流入出がいずれもスムーズとなって、低音域の音質が高められると考えられる。
【実施例４】
【００２１】
本考案の実施例４は、図７に示されるように、仕切板５により上下に分割された空気室１５の下方の分割空気室１５ｂに、二本の直管状のダクトＤ3 ，Ｄ12が配置されている。直管状のダクトＤ3 は、本考案に係るものであって、前記仕切板５に下方を向いて取付けられ、空気流の出口側には、開口径（開口面積）を小さくするための縮径板１６が取付けられて、当該縮径板１６の中央部に外側に向けて内径が急激に小さくなって、空気流を出入りさせる小さな開口１７が形成されている。また、ダクトＤ3 を取付けている仕切板５及び当該ダクトＤ3 の入口側の部分は、分割空気室１５ａから同１５ｂの側に向けて内径が急激に小さくなったテーパー状の大きな開口１８が形成されている。
【００２２】
また、エンクロージャーＥの前板部１における下方の分割空気室１５ｂの部分には、直管状のダクトＤ12が水平となって取付けられて、下方の分割空気室１５ｂとエンクロージャーＥの外部とを連通している。また、ダクトＤ12の空気流の入口側の端面１９は、端面に対する空気流の衝突を防止して、当該空気流をスムーズにさせるために大きく面取りされている。なお、底板部８は、設置部として機能している。
【００２３】
実施例４においても、ダクトＤ3 の空気流の流出側の部分の開口１７が、流入側の開口１８に比較して著しく小さくなっているので、当該ダクトＤ3 を通って上方の分割空気室１５ａから下方の分割空気室１５ｂに流入される空気流は、単純な直管状のダクト（例えば、図７に示されるダクトＤ12）に比較して、当該ダクトＤ3 の流出側の部分において急激に膨張される。このため、空気室１５の内部においても、上方の分割空気室１５ａの背圧に応じて、空気流の膨張現象が発生するため、ダクトＤ12によるエンクロージャーＥの外部に空気流が流出される際の膨張と相俟って、低音域の音質が高められると考えられる。
【符号の説明】
【００２４】
Ｄ1,Ｄ1'：碗状のダクト
Ｄ2 ：ラッパ状のダクト
Ｄ3 ：直管状のダクト
Ｅ：エンクロージャー
Ｄ11：補助ダクト
４，１２，１５：空気室
４ａ〜４ｃ：分割空気室
６：碗状のダクトの大きな開口
７：碗状のダクトの小さな開口
１５ａ，１５ｂ：分割空気室
【図１】
0003158614.tif 000003
【図２】
0003158614.tif 000004
【図３】
0003158614.tif 000005
【図４】
0003158614.tif 000006
【図５】
0003158614.tif 000007
【図６】
0003158614.tif 000008
【図７】
0003158614.tif 000009
【図８】
0003158614.tif 000010